(57)【要約】【解決手段】本発明は、多様な情報を表示するための表示装置に関し、情報の個々の選択は、異なるユーザ又はユーザグループに個々に送られ、多様な情報を表示するための表示装置は、複数の光を放出するドット状の手段からなる少なくともひとつの表示パネルと、複数のセンサとを備え、ユーザ又はユーザグループは、センサによって、位置検出され、個々の情報は、それぞれのセンサで位置検出されたユーザ又はユーザグループの位置に基づいて、個々に送られる。【選択図】図２
2008522650.tif 000002
【特許請求の範囲】
【請求項１】
異なるユーザ又はユーザグループに、情報の個々の選択肢が個々に送られる、多様な情報を表示する表示装置であって、
複数の光を放出するドット手段からなる少なくともひとつの表示パネルと、少なくともひとつのセンサとを備え、
前記ユーザ又はユーザグループはセンサによって位置検出され、前記個々の情報は、それぞれのセンサで位置検出されたユーザ又はユーザグループの位置によって、個々に送られる、
ことを特徴とする表示装置。
【請求項２】
ユーザ又はユーザグループを位置検出する少なくともひとつのセンサは、輻射センサ、光センサ、フォトセンサ、赤外線センサ、動きセンサ、誘電センサ、干渉センサ、湿度センサ、イメージセンサ、力センサ、光学センサ、位置センサ、近接センサ、熱流センサ、高周波センサ、及び／又は、温度センサからなるグループから選択されている、
請求項１に記載の表示装置。
【請求項３】
前記表示装置は複数のセンサを備え、前記センサは、センサが少なくとも一人のユーザ又はユーザグループの位置移動を所定距離にわたって追跡できるように配置され、
前記情報は、それぞれの前記ユーザ又はユーザグループに対して個々に送られる、前記個々の情報は、個々に送られるユーザ又はユーザグループが動いたならば、これを追跡することができる、
請求項１又は２に記載の表示装置。
【請求項４】
光を放出するドット手段は、ＬＥＤ、及び／又は、ＯＬＥＤである、
請求項１乃至３に記載の表示装置。
【請求項５】
請求項１乃至４による人間及び／又は交通の管制装置であって、
複数の光放出ドット手段は、ユーザ又はユーザグループの位置に基づいて、それぞれセンサで検出されたユーザ又はユーザグループに、同時に、個々の情報を送るように配置され、
前記ユーザ又はユーザグループの実際の位置を少なくともひとつのセンサによって計算され、
前記少なくともひとつのセンサは、表示装置に組み込まれ、及び／又は外部に設けられ、個々の情報は、これを個々に送られたユーザ又はユーザグループが動くと、これを追跡する、
ことを特徴とする管制装置。
【請求項６】
請求項１乃至４による表示装置に基づいたダンスガイドフロアであって、
前記複数の光放出ドット手段は、少なくとも一人のダンサーの位置、次に取るべき位置、ダンスの曲名、及び／又は、リズムなどの個々の情報を、個々に送るように配置され、
前記光放出ドット手段は、透明な層で、ダンサーが加える損傷から保護され、少なくとも一人のダンサーの実際の位置は、少なくともひとつのセンサによって計算され、該少なくともひとつのセンサは、ダンスフロアに組み込まれ、及び／又は外部に設けられている、
ダンスガイドフロア。
【請求項７】
組み込まれた表示装置を備えてなるダンスガイドフロアであって、
すくなくとも一人のダンサに、例えば動くべき次の位置、ダンスの曲名、及び／又は、リズムなどの情報を送り、
前記表示装置は、ＬＥＤのマトリックス表示装置を備え、
該表示装置は透明な層によってダンサーが加える損傷から少なくとも部分的に保護されている、
ことを特徴とするダンスガイドフロア。
【請求項８】
それぞれ検出されたユーザ又はユーザグループの位置に基づいて、少なくとも一人のユーザ又はユーザグループに情報を個々に送る、
請求項１乃至４に記載の表示装置の使用。
【請求項９】
それぞれのセンサで検出されたユーザ又はユーザグループの位置に基づいて、少なくとも一人のユーザ又はユーザグループに情報を同時かつ個々に送り、
前記ユーザ又はユーザグループの実際の位置を少なくともひとつのセンサによって計算し、前記少なくともひとつのセンサは、表示装置に組み込まれ、及び／又は外部に設けられ、個々の情報は、これを個々に送られたユーザ又はユーザグループが動くと、これを追跡する、
請求項８に記載の表示装置の使用。
【請求項１０】
請求項１乃至７に記載の表示装置を用いて、複数のユーザ又はユーザグループに個々の情報を同時かつ個々に送る方法であって、
少なくとも一人のユーザ又はユーザグループは、少なくともひとつのセンサによって、検出され及び位置が位置検出され、
センサで位置検出されたユーザ又はユーザグループに、情報は個々に送られ、
個々に送られた情報は、これを個々に送られたユーザ又はユーザグループが動くと、これを追跡し、
任意的事項として、ユーザ又はユーザグループは、ユーザ符号によって特定、及び／又は認可され、ユーザ符号に基づいて、前記ユーザに個々に送られるように情報が選択される、
ことを特徴とする方法。
【発明の詳細な説明】
【技術分野】
【０００１】
本発明は、概略的には、多様な情報を表示する表示装置に関し、情報の個々の選択肢が、異なるユーザ又はユーザグループに個々に送られる表示装置に関する。さらに、本発明は、前記表示装置の使用、および、表示装置を用いて個々の情報を同時かつ個々に送られる方法に関する。特に、本発明は、ＬＥＤ（発光ダイオード）マトリックス表示装置を用いたダンスガイドフロアに関する。
【背景技術】
【０００２】
ＬＥＤのマトリックス表示装置は、従来技術において広く知られている。例えば、ＬＥＤのドットマトリックス表示装置は、スポーツスタジアムで、観衆にゲームに関する情報を表示するために使用されている。
【０００３】
米国特許第５，１３０，９０９号明細書は、発光ストリップの形態で所定の避難ルートの床に沿って配置され、視界が著しく低下した状態で、閉じ込められた領域からの居住者の脱出を案内する緊急援助装置を開示している。ストリップは、間隔をおいた複数の光放出要素から構成され、これらの要素は、それぞれが、少なくとも０．１２カンデラの軸線上の輝度と、２４度以下の全円錐角とを有するビームを放出するようなＬＥＤである。それぞれの要素は外部反射器を備え、反射器は、間隔をおいたプリズム又は要素に取り付けられた金属製の反射器の形態であり、そのビーム軸線に沿って、軸線に対して斜めに配置され、放出された光を所定の角度に偏向させる。ひとつの実施形態においては、要素のビーム軸線がストリップ及び要素間の反射器の軸線に対して平行になるように、要素が互いに対向する対で配置されている。反射器は、軸線に対して２つの所定の方向に光を放出するように配置され、好ましくは、床を照明するために床に沿って、及び、避難する居住者に経路を示すために垂直に、光を放出する。他の実施形態においては、要素は、単一の方向に配置され、要素に取り付けられた金属製の反射器を有する。ストリップが壁と床との接続箇所に取り付けられるならば、反射器は、交互のビームを水平に及び４５゜の外方に傾ける。
【発明の開示】
【発明が解決しようとする課題】
【０００４】
しかしながら、従来技術において使用されていたＬＥＤのマトリックス表示装置は、ユーザ又はユーザグループに、彼らの位置に基づいて、個々の情報を送ることはない。さらに、ユーザ又はユーザグループに、彼らの位置に基づいて、個々の情報を同時に送ることができ、送られたユーザ又はユーザグループが動くと、情報がこれを追跡するような、ＬＥＤのマトリックス表示装置は知られていない。
【０００５】
従って、従来技術においては、ユーザ又はユーザグループに多様な情報を表示するための、より進歩した表示装置を求めるニーズが存在している。
【課題を解決するための手段】
【０００６】
本発明によれば、多様な情報を表示するための表示装置が提供され、情報の個々の選択は、異なるユーザ又はユーザグループに個々に送られ、多様な情報を表示するための表示装置は、複数の光を放出するドット手段からなる少なくともひとつの表示パネルと、複数のセンサとを備え、ユーザ又はユーザグループは、センサによって、位置検出され、個々の情報は、それぞれのセンサで位置検出されたユーザ又はユーザグループの位置に基づいて、個々に送られる。
【０００７】
本発明による表示装置に使用可能な表示装置は、ＬＥＤの表示装置であり、好ましくは、ＬＥＤドットマトリックス表示装置などの、ＬＥＤドットのマトリックスである。
本発明によれば、表示装置は、複数の光放出ドット手段からなる、複数の表示パネルから構成される。光放出ドット手段は、好ましくは、ＬＥＤ、及び／又は、ＯＬＥＤである。
表示パネルは、ひとつの大型の表示装置を形成するように結合され、及び／又は、複数の大型の表示装置である。
【０００８】
本発明の好ましい実施形態は、多様な情報を表示する表示装置であって、情報の個々の選択は、異なるユーザ又はユーザグループに個々にかつ同時に送られ、多様な情報を表示するための表示装置は、複数の光を放出するドット手段からなる少なくともひとつの表示パネルと、少なくともひとつ好ましくは複数のセンサとを備え、ユーザ又はユーザグループは、センサによって、同時に位置検出され、個々の情報は、それぞれのセンサで位置検出されたユーザ又はユーザグループの位置に基づいて、個々に送られる。
【０００９】
ユーザ又はユーザグループに情報を個々に送るためには、前記ユーザ又はユーザグループの位置検出されなければならない。本発明によれば、少なくともひとつのセンサを使用して、ユーザ又はユーザグループの位置を位置検出する。センサは、輻射センサ、光センサ、フォトセンサ、赤外線センサ、動きセンサ、誘電センサ、干渉センサ、湿度センサ、イメージセンサ、力センサ、光学センサ、位置センサ、近接センサ、熱流センサ、高周波センサ、及び／又は、温度センサからなるグループから選択される。
【００１０】
センサのタイプは、本発明による表示装置の意図された使用に関連して選択される。本発明による表示装置を組み込まれたダンスフロアの場合には、センサは、好ましくは、輻射センサ、光センサ、フォトセンサ、赤外線センサ、動きセンサ、誘電センサ、干渉センサ、力センサ、光学センサ、近接センサ、及び／又は、温度位置センサからなるグループから選択される。
【００１１】
少なくともひとつのセンサが、ユーザ又はユーザグループの位置を位置検出するために使用される。しかしながら、複数のセンサを使用することが好ましい。ひとつの利点は、より正確に、ユーザの位置を位置検出することである。さらに、複数のセンサを使用するならば、ユーザ又はユーザグループの位置を、より容易に追跡することができる。
【００１２】
少なくともひとつのセンサは、本発明による表示装置の中に、及び／又は、表示装置上に、組み込むことが可能である。さらに、少なくともひとつのセンサは、表示装置の外部に配置することが可能である。しかしながら、表示装置は複数のセンサを備え、センサは、センサが少なくとも一人のユーザ又はユーザグループの位置の移動を、所定距離にわたって追跡できるように配置され、情報は、少なくとも一人のユーザ、好ましくは少なくとも２人のユーザ、又はユーザグループに対して個々に送ることができ、個々の情報は、個々に送られたユーザ又はユーザグループが動いたならば、これを追跡することが好ましい。
【００１３】
本発明による好ましい表示装置によれば、情報を個々にユーザに送ることができる。さらに、前記好ましい表示装置は、情報を送られたユーザ又はユーザグループが動いたとき、個々に送られた情報がこれを追跡するようにして、情報を送ることができる。従って、本発明による表示装置は、例えば、ダンスガイドとして機能して、表示装置は、取るべき次のステップをダンサー又はダンサーのグループに表示し、情報は個々に送られる。さらに、次のダンスステップの情報はユーザを追跡し、ダンスの次のステップは、ユーザ又はユーザグループに表示される。少なくとも一人のユーザに送られる情報は、センサによって検出された位置に依存する。ユーザに送られる個々の情報は、少なくともひとつのセンサによって位置検出された位置に関連して計算されたデータ処理装置によって容易に決定される。
【００１４】
本発明による表示装置は、少なくとも一人のユーザに送られる情報が、特定のユーザ符号によって認可される限り、さらに改良される。認可された情報を取得するために、ユーザは、例えば、ユーザ符号受信ユニットを備えた表示装置に、特定のユーザ符号を伝える。これにより、ユーザは、認可された情報だけによって、個々に送られる。前記特定のユーザ符号を、ユーザから、前記表示装置におけるユーザ符号受信ユニットへ伝達するために最も好ましいのは、いわゆるＲＦＩＤ（無線周波数識別）技術である。しかしながら、ＲＦＩＤ技術は、ユーザとユーザ符号受信ユニットの間において、一方向又は双方向のいずれかのデータ通信に使用することができる。
【００１５】
本発明による表示装置の好ましい実施形態は、人間及び／又は交通の管制装置であって、複数の光放出ドット手段は、個々に送られるように配置され、ユーザ又はユーザグループの位置に基づいて、個々の情報をそれぞれセンサで検出されたユーザ又はユーザグループに与え、ユーザ又はユーザグループの実際の位置を少なくともひとつのセンサによって計算し、前記少なくともひとつのセンサは、表示装置に組み込まれ、及び／又は、外部に設けられ、個々の情報は、個々に送られたユーザ又はユーザグループが動いたならば、これを追跡する。それぞれセンサで検出されたユーザ又はユーザグループへの、個々の情報は、同時に送られることが好ましい。
【００１６】
人間及び／又は交通を管制する表示装置は、ユーザに個々の情報を提供する。例えば、空港に居るユーザは、本発明による前記表示装置によって、所望のゲートへと、個々に送られ及び案内される。これは、データ受信ユニットを備えた表示装置によってさらに改良され、ユーザ又はユーザグループに、選択された情報を個々に送ることができる。前記表示装置から前記情報を受信するためには、ユーザは認可されるか、及び／又は、ログインすることが必要である。ユーザは、上述したようなワイヤレス式に、及び／又は、入力装置によって、表示装置に認可され、及び／又は、ログインすることができる。
【００１７】
本発明の更なる目的は、組み込まれた表示装置を備えてなるダンスガイドフロアに関し、例えば動くべき次の位置、ダンスの曲名、及び／又は、リズムなどの、情報を少なくとも一人のダンサーに送り、表示装置は、光を放出するドット状の手段から構成され、表示装置は、ダンサーが加える損傷から透明な層によって保護されている。
【００１８】
その最も簡単な形態においては、組み込まれた表示装置を備えたダンスガイドフロアは、少なくとも一人のダンサーに、好ましくはカップルに、ダンサーのグループに、及び／又は、カップルのグループに、情報を表示し、表示装置は、次に取るべきステップ、ダンスのステップ、リズム、曲名、及び／又は、背景情報などの情報を提供する。表示装置は、ユーザ、すなわち、ダンサーの位置を検出するセンサを必ずしも必要とはしない。しかしながら、少なくともひとつのセンサによって、ダンサー（ユーザ）の実際の位置を検出することは、ダンサー又はカップルに情報を個々に送るために、有益である。
【００１９】
表示装置は好ましくは、ＬＥＤ又はＯＬＥＤなどの、複数の光放出ドットのマトリックスである。表示装置は、光を所定の角度に偏向させるための反射器を備えることが好ましい。反射器は、垂直な光ビームの軸線に対して、少なくとも２つの所定の方向に、光を放出するように配置される。
【００２０】
本発明による表示装置は、複数の表示パネルから構成され、表示パネルは、ＬＥＤ、ＯＬＤ、及び／又は、ＯＬＥＤなどの、複数の光放出ドットから構成される。本発明によって使用される表示パネルは、ＬＥＤドットのマトリックスを備える。
【００２１】
好ましい実施形態によれば、本発明による表示装置の反射器は、光放出ドットのグループは、他のグループの光放出ドットとは異なる角度で光を放出するように配置され、個々の情報は、異なる見通し角度にて、ユーザに到達する。これにより、様々な異なる情報を、同じ位置にいるユーザに送ることができ、すなわち、ユーザは、前記表示装置に対する彼の見通し角度を変化させなければならない。さらに、様々な異なった個々の情報は、所定の見通し角度によって、少なくとも一人のユーザ又はユーザグループに、互いに離れた長い距離において送ることが可能であって、ユーザは動いたとき、彼の所望の情報を追跡することができる。
【００２２】
さらに好ましくは、反射器は、光ビームの垂直軸線に対して所定の方向に、ＬＥＤ又はＯＬＥＤなどの光放出ドットのグループの光ビームを放出するように配置され、反射器の角度は、光放出ドットのグループを備えた個々の表示パネルの間を、少なくとも角度１０゜、好ましくは少なくとも角度１５゜、さらに好ましくは少なくとも角度２０゜、一層好ましくは少なくとも角度３０゜だけ変更することができ、個々の情報は、互いに分離して、異なる見通し角度にて、ユーザに送られる。
【００２３】
本発明のさらに好ましい実施形態によれば、表示装置に基づいたダンスフロアが提供され、複数の光放出ドット状の手段は、少なくとも一人のダンサーの位置、動くべき次の位置、ダンスの曲名、及び／又は、リズムなどの個々の情報に基づいて、個々に送られるように配置され、光を放出するドット状の手段は、ダンサーが加える損傷から、透明な層によって保護され、少なくとも一人のダンサーの実際の位置は、少なくともひとつのセンサによって計算され、前記少なくともひとつのセンサは、ダンスフロアに組み込まれ、及び／又は、外部に設けられている。
【００２４】
本発明による表示装置は、少なくとも一人のユーザに、情報を個々に送るべき、すべての目的に実際上使用することができる。
【００２５】
本発明による表示装置は、特に、それぞれ検出されたユーザ又はユーザグループの位置に基づいて、少なくとも一人のユーザ又はユーザグループに情報を個々に送るために使用することができる。
【００２６】
さらに、本発明による表示装置は、それぞれのセンサで検出されたユーザ又はユーザグループの位置に基づいて、少なくとも一人のユーザ又はユーザグループに情報を同時かつ個々に送り、ユーザ又はユーザグループの実際の位置を少なくともひとつのセンサによって計算し、前記少なくともひとつのセンサは、表示装置に組み込まれ、及び／又は、外部に設けられ、個々の情報は、個々に送られたユーザ又はユーザグループが動いたならば、これを追跡するように、使用することができる。
【００２７】
本発明の更なる目的は、本発明による表示装置を用いて、複数のユーザ又はユーザグループに個々の情報を同時かつ個々に送るための方法に関し、この方法は、
少なくとも一人のユーザ又はユーザグループは、少なくともひとつのセンサによって、検出され及び位置検出され、
センサで位置検出されたユーザ又はユーザグループに、情報は個々に送られ、
個々に送られた情報は、個々に送られたユーザ又はユーザグループが動いたならば、これを追跡し、
任意的事項として、ユーザ又はユーザグループは、ユーザ符号によって確認及び／又は認可され、ユーザ符号に基づいて、前記ユーザに個々に送られるように情報が選択される、
ことを特徴とする。
【発明を実施するための最良の形態】
【００２８】
本発明は、図１及び図２に、さらに示される。
図１は、組み込まれた表示装置２を備えているダンスガイドフロア１を示していて、次に動くべきステップ３について、少なくともひとつのダンサー情報を送り、表示装置は、ＬＥＤマトリックス表示装置４から構成され、表示装置２は、少なくとも部分的に、透明な層５を用いて、ダンサーによって引き起こされる損傷から保護されている。
【００２９】
図２は、表示装置２に基づいたダンスガイドフロア１を示していて、ＬＥＤマトリックス表示装置４は、少なくとも一人のダンサーの位置に基づいて、次に動くべきステップなどの個々の情報を個々に送り、ＬＥＤマトリックス表示装置４は、ダンサーが加える損傷から透明な層で保護され、少なくとも一人のダンサーの実際の位置は、少なくともひとつのセンサ６ａ／６ｂによって計算され、前記少なくともひとつのセンサ６ａはダンスフロアに組み込まれ、及び外部６ｂに設けられている。
明細書を過度に長くせずに、理解できる開示を提供するために、出願人は、上に参照したそれぞれの特許及び特許出願を、参照によって援用する。
【００３０】
上述した詳細な実施形態における要素及び特徴の特定の組合せは、単なる例示であって、これらの教示を、本願及び参照によって引用された特許／特許出願における他の教示と、交換及び置換することが明白に想定される。当業者は認識するだろうが、当業者にあっては、特許請求の範囲に記載された本発明の精神及び範囲から逸脱せずに、本願の開示内容に、変形、改変、及び他の実現を施すことが可能である。従って、以上の説明は、単なる例示であって、制限としては意図していない。本発明の範囲は、特許請求の範囲と、その均等物とによって定義される。さらに、発明の詳細な説明と特許請求の範囲において使用された参照符号は、特許請求の範囲に記載された本発明の範囲を制限するものではない。
【図面の簡単な説明】
【００３１】
【図１】図１は、組み込まれた表示装置を備えているダンスガイドフロアを示している。
【図２】図２は、センサを備えた表示装置に基づいたダンスガイドフロアを示している。
【図１】
2008522650.tif 000003
【図２】
2008522650.tif 000004
【国際調査報告】
2008522650.tif 000005
2008522650.tif 000006
2008522650.tif 000007